(57)【要約】【課題】  魚が掛かりやすく、その場合に口先で深く安定して引っ掛かるために、バレることのない管理釣り場用のアイ付きフックを提供する。【解決手段】  フック線材を曲げ加工することにより基端に円形ないしループ状のアイを設け、その曲げ加工において、基端部の延長に対してフック形状の外側に反転させることによりオフセットにアイを形成した。【効果】  開口部が広いことから、スロート部から呑み込みやすいために魚が掛かりやすく、また、深く安定して引っ掛かるために、バレることが少なくなる結果、釣果を上げるのに優れた効果を奏する。【選択図】    図１
2006246733.tif 000002
【特許請求の範囲】
【請求項１】
フック線材を曲げ加工することにより基端に円形ないしループ状のアイを設け、その曲げ加工において、基端部の延長に対してフック形状の外側に反転させることによりオフセットにアイを形成したことを特徴とする管理釣り場用のアイ付きフック
【請求項２】
ルアーに連結して使用するルアー用であり、対象魚としてトラウト用であり、シングルフックであることを特徴とする請求項１記載の管理釣り場用のアイ付きフック。
【発明の詳細な説明】
【技術分野】
【０００１】
この発明は、湖や河川、自然渓谷等に放流した魚を釣るときに使用する管理釣り場用のアイ付きフックに関する。
【背景技術】
【０００２】
管理釣り場では、様々な魚が放流され、釣った魚は再度放流されることになるため、魚を傷つけないように返しのないバーブレスのフックが用いられる。また、ルアーに接続しやすく、また、釣り糸にも連結できる等の都合から、基端にその接続のためのアイ（環）付きのフックが使用される。図８、図９に示すように、従来の管理釣り場用のアイ付きフックＦａは、アイ２０がフック線材の基端で円形に形成されたものであるが、それはフック形状の外側から内側に巻き込むことによる形状であった。
【０００３】
したがって、従来のアイ２０は、基端部の延長線に対して内側に突き出ている関係で、針先との間の開口部２１が狭くなっている関係で、魚Ｓは口先がアイ２０の出っ張りに当たることから、スロート部ｆを呑み込み難く、これが針先が掛かる障害となっていた。
【０００４】
また、この種のフックでは（図８，図９）、フックの曲がりがシャンク部ｄ側で直線に近く、しかも、スロート部ｆがアイ２０に向かって立ち上がる形状であったから、針先とベンド部ｅとの間の距離としてのゲイプ２２が狭くなる結果、この点でも魚が針先に掛かりがたく、掛かったとしても外れやしいことから、皮一枚でフッキングすることで身切れするバレが多かった。しかも、ベンド部ｅのカーブが幅広くなるラウンド形状であり、カーブ曲率がゆるやかに変わる形状（下端部が巾広い形状）であることから、魚が飲み込んだときに、カーブの内側で魚の当該部位が動き、このことから魚が自由に動きやすいために結果的にバレやすかった。
【０００５】
さらに、管理釣り場の釣り方については、極めてゆっくりルアーを引くテクニックが有効であるが、そうするとフックが下方へ垂れ下がると同時に、この時、針先がルアーの進行方向に対して後方を向くので（この発明に係る図３に示すような垂れ姿勢となるため）、魚がくわえたときに外れやすい。これを解消するため、フックの基端部に糸おもり２４を巻くことによって、針先が進行斜め方向ｈに向くように試みられるが、図９に示すこの種の一般的なフックでは、基端部とスロート部ｆとが平行に近かったから、オモリ２４でシャンク部ｄが垂直に近い姿勢になると、スロート部ｆがそれと平行に上向きとなり期待通りにはならなかった。
【発明の開示】
【発明が解決しようとする課題】
【０００６】
この発明は、上記のような実情に鑑みて、魚が掛かりやすく、その場合に口先で深く安定して引っ掛かるために、バレることのない管理釣り場用のアイ付きフックを提供することを課題とした。
【課題を解決するための手段】
【０００７】
上記の課題を解決するために、この発明は、フック線材を曲げ加工することにより基端に円形ないしループ状のアイを設け、その曲げ加工において、基端部の延長に対してフック形状の外側に反転させることによりオフセットにアイを形成したことを特徴とする管理釣り場用のアイ付きフックを提供するものである。
【０００８】
管理釣り場用のアイ付きフックを上記のように構成したから、アイがフック形状の内側に突出していないことから、アイと針先との間の距離としての開口部の巾が広くなる結果、魚がスロート部から呑み込みやすく、また、呑み込んだ魚に深く刺し掛かる。
【発明の効果】
【０００９】
以上説明したように、この発明の管理釣り場用のアイ付きフックによれば、開口部が広いことから、スロート部から呑み込みやすいために魚が掛かりやすく、また、深く安定して引っ掛かるために、バレることが少なくなる結果、釣果を上げるのに優れた効果を奏するものである。
【発明を実施するための最良の形態】
【００１０】
次に、この発明の実施形態を図面に基づいて説明する。
【００１１】
図１ないし図７は一実施の形態を示したもので、その管理釣り場用のアイ付きフックＦは、基端部１の端に設けられるアイ３を外側へオフセット（偏在）して円形に形成され、基端部１からシャンク部ａ、ベンド部ｂ、スロート部ｃが形成される。なお、図１は、ルアーＲに連結した使用状態を示したものであるが、釣り糸に結んで使用することもある。
【００１２】
オフセットについては、基端部１の延長αに対してフック形状の外側へ曲げ、円形のループに反転させることによりアイ３が形成される。したがって、内側にはアイ３が突出していないので、アイ３とスロート部ｃの端（針先）との間の開口部５が広く、図１に示すように、アイ３に妨げられることなく、魚Ｓが深く食いつくことになる。特に、鼻先が突き出ているトラウトであると、その鼻先がアイ３に突き当たる度合いが少なくなるので、効果が顕著となる。
【００１３】
また、基端部１から延びるシャンク部ａを外側へ張り出すように曲げて、ベンド部ｂを外側にとることにより、ベンド部ｂと針先との間の間隔としてのゲイプ６を広くしたので、これによっても受け入れ口が広くなることで深い引っ掛かりが得られるために、皮一枚のフッキングが少なくなり、身切りによるバレが減少した。
【００１４】
また、ベンド部ｂの曲がりが急角度で急激であることにより、その内側が狭いことから魚の当該部位が固定されやすく、これで魚の動きが制約される結果バレにくい。この点については、針先の高さ位置より下は順次巾狭くなる極端に言えばＶ形状となっている。そこで、魚Ｓが食いついたときには、口の中の奥が大きく開かれないため、フックＦがすっぽり簡単に抜けるということはなくなり、これによってもバレが防止される。
【００１５】
糸おもりの使用については、基端部１に対してスロート部ｃが内側に向く形状であるから、糸おもり９を装着すると（図２）、スロート部ｃが進行方向にやゝ傾斜する姿勢となるため、魚Ｓが後ろから呑み込んだときに針先に引っ掛かりやすい。なお、７は、ルアーまたは釣り糸に対する支点であり、同図はこの支点７にフックＦおよび糸おもり９の荷重が掛かったときの姿勢を示す。また、針先に引っ掛かりやすくするために、ひねりを付与して針先の位置をずらしてある。
【図面の簡単な説明】
【００１６】
【図１】この発明に係る一実施形態を使用状態で示す管理釣り場用のアイ付きフックの正面図である。
【図２】同実施形態において糸おもりを装着した状態を示す正面図である。
【図３】同フックの正面図である。
【図４】同フックの平面図である。
【図５】同フックの底面図である。
【図６】同フックの左側面図である。
【図７】同フックの右側面図である。
【図８】従来例を使用状態において示す正面図である。
【図９】従来例を糸おもりの装着状態で示す正面図である。
【符号の説明】
【００１７】
Ｆ  管理釣り場用のアイ付きフック
Ｒ  ルアー
１  基端部
３  アイ
α  基端部の延長
【図１】
2006246733.tif 000003
【図２】
2006246733.tif 000004
【図３】
2006246733.tif 000005
【図４】
2006246733.tif 000006
【図５】
2006246733.tif 000007
【図６】
2006246733.tif 000008
【図７】
2006246733.tif 000009
【図８】
2006246733.tif 000010
【図９】
2006246733.tif 000011